(57)【要約】【課題】すき刃による耕耘とロータリー刃による耕耘の欠点を無くして、すき刃とロータリー刃の相互作用で、耕耘効率を高める。【解決手段】トラクターに取り付けて使用する耕耘ユニット５０で、すき刃１５Ａ、・・・１５Ｄを有するすき刃耕耘装置１に、ロータリー刃４を有するロータリー耕耘装置１を組み込んで、耕耘ユニット５０を構成する。すき刃１５は、中間部１７に進行一側１６に向けて収容凹部２０を有し、先端部２３に翼刃３０、３０を水平に固定してなる。先端部２３に翼刃３０、３０をロータリー刃４の回転軌跡６の下端６ａより下方で、かつ回転軌跡６の進行一側６１の端６ｂよりも進行一側６１に位置させる。すき刃１５の収容凹部２０の底部２１にロータリー刃４の回転軌跡が重なるように形成する。【選択図】図３
2016086717.tif 000002
【特許請求の範囲】
【請求項１】
トラクターなどの走行機械に取り付けて、田畑を耕すために使用し、以下のように構成するすきを有する耕耘ユニット。
(1) 前記走行機械に取り付けるための連結具を有するユニット本体に、ロータリー耕耘装置を取り付けまたは予め組み込んで、前記ロータリー耕耘装置は略水平方向のロータリー回転軸にロータリー刃を放射方向に取り付けて構成する。
(2) 前記ロータリー刃は、所定間隔を空けてロータリー回転軸に沿って配置する。
(3) 前記ユニット本体で、前記ロータリー回転軸に沿って、複数のすき刃を有するすき取付ユニットを設ける。
(4) 前記すき刃は、前記走行機械の進行方向視で、隣接するロータリー刃の間に配置される。
(5) 前記すき刃は、その基端部を前記すき刃ユニットに取り付けるすき刃本体と、前記すき刃本体の先端部に固定される翼刃とからなり、前記走行機械の進行方向で、前記すき刃本体の先端部と翼刃とを、前記ロータリー刃の前側に配置する。
(6) 前記すき刃本体は、中間部に、前記走行機械の進行方向に向けて、縦方向の凹部となる収容屈曲部を形成し、前記収容屈曲部の先端部は、前記進行方向に向けて略水平または水平で若干下向きに形成される。
(7) 前記翼刃は、すき刃本体の先端部で、前記軸方向で両側に配置される。
(8) 前記すき刃本体の収容屈曲部の底部分が、前記ロータリー刃の回転軌跡内に納まるように配置する。
(9) 前記すき刃本体の先端部および翼刃は、耕耘状態で、前記ロータリー刃の回転軌跡の最下端よりも下方に位置する。
【請求項２】
以下のように構成する請求項１記載の耕耘ユニット。
(1) すき刃本体は、ロータリ回転軸の軸方向を厚みとする板状に形成する。
(2) 前記すき刃本体の先端部の前記軸方向の両面に、略水平方向の翼刃を取り付ける。
(3) 前記翼刃は、前記すき刃本体の先端部で、最先端部より後ろ側に配置し、前記最先端部と前記翼刃とは略同一高さに配置する。
【請求項３】
走行機械に直接に、または前記走行機械に取り付ける各種耕耘装置を同時に取り付けて使用し、以下のように構成することを特徴とするき以下のように構成する耕耘用のすき刃。
(1) 前記すき刃は、刃本体と翼刃とからなる。
(2) 前記すき刃本体の基端部に、走行機械、または走行機械に取り付ける各種ユニットに、すき刃本体の基端部を取り付けるための連結部を設ける。
(3) 前記すき刃本体は中間部に、前記走行機械の進行方向に向けて、縦方向の凹部となる収容屈曲部を形成する。
(4) 前記収容屈曲部の先端部は、前記進行方向に向けて略水平または水平で若干下向きに形成される。
(5)前記すき刃本体の先端部で、両側面に、略水平に配置した翼刃の基端部を固定した。
【発明の詳細な説明】
【技術分野】
【０００１】
この発明は、トラクターなどの後方に取り付けて、田畑を掘り起こす際に使用する耕耘ユニット、およびこの耕耘ユニットに適用しあるいは他の耕耘ユニットや耕耘機に適用使用するすき刃に関する。
【背景技術】
【０００２】
トラクターなど作業車の後方に取り付けて、田畑を掘り起こす際に使用する耕耘ユニットでは、一般に、深く掘り起こすすき刃を有するユニットで、地上から比較的深い層を、大雑把に掘り起こして大きな塊を形成し、その後、作業車にロータリー刃を有するユニットに付け替えて、大きな塊を砕きつつ、地上から浅い層を整えながら掘り起こしていた。
【０００３】
この場合、ユニットの交換作業が面倒であった。ロータリー刃を有するユニットの進行方向前方に、すき刃同様の何らかの刃を配置して、一体に構成したユニットも提案されている（特許文献１〜３）。
【０００４】
特許文献１では、ロータリー刃を有するユニットのロータリー軸方向で、両端部に１個ずつすき刃（切断刃）を設ける提案がされ、すき刃の両側にロータリー刃を配置している。また、すき刃の先端はロータリー刃の下端より浅い位置にあり、すき刃は縦に配置される。
【０００５】
また、特許文献２でも、ロータリー刃を有するユニットのロータリー軸方向で、両端に１つづくすき刃（破砕刃）を設ける提案がされ、すき刃は最も外側のロータリー刃に対して、その外側に配置されている。また、すき刃は縦に配置され、かつすき刃の下端はロータリー刃の下端位置より若干上方又は同等の高さ位置に配置される。
【０００６】
また、特許文献３では、ロータリー刃を有するユニットのロータリー軸方向で、中央部に１つすき刃（分草体）を設ける提案がされている。すき刃の下端はロータリー刃の下端位置より若干上方又は同等の高さ位置に配置され、すき刃は掘り起こしではなく、表面付近で、草の茎部分を切断する機能を有する。
【先行技術文献】
【特許文献】
【０００７】
【特許文献１】特許第３５６９３５０号公報
【特許文献２】特開２００２−２３３２０３号公報
【特許文献３】特開２００２−２５３００１号公報
【発明の概要】
【発明が解決しようとする課題】
【０００８】
前記各発明は、ロータリー刃の前側に何らかの刃（すき刃類似）を設けているが、すき刃のように深く土を掘り起こして、ロータリー刃との共同作業により、さらに土の塊を砕いて耕す作用は発揮できなかった。
【課題を解決するための手段】
【０００９】
本発明は、すき刃本体の中間屈曲部をロータリー刃の回転軌跡内に納まるように配置し、かつすき刃本体の先端部および翼刃がロータリー刃の回転軌跡の最下端よりも下方に位置するように配置したので、前記問題点を解決した。
【００１０】
即ちこの発明は、トラクターなどの走行機械に取り付けて、田畑を耕すために使用し、以下のように構成するすきを有する耕耘ユニットである。  
(1) 前記走行機械に取り付けるための連結具を有するユニット本体に、ロータリー耕耘装置を取り付けまたは予め組み込んで、前記ロータリー耕耘装置は略水平方向のロータリー回転軸にロータリー刃を放射方向に取り付けて構成する。  
(2) 前記ロータリー刃は、所定間隔を空けてロータリー回転軸に沿って配置する。  
(3) 前記ユニット本体で、前記ロータリー回転軸に沿って、複数のすき刃を有するすき取付ユニットを設ける。  
(4) 前記すき刃は、前記走行機械の進行方向視で、隣接するロータリー刃の間に配置される。  
(5) 前記すき刃は、その基端部を前記すき刃ユニットに取り付けるすき刃本体と、前記すき刃本体の先端部に固定される翼刃とからなり、前記走行機械の進行方向で、前記すき刃本体の先端部と翼刃とを、前記ロータリー刃の前側に配置する。  
(6) 前記すき刃本体は、中間部に、前記走行機械の進行方向に向けて、縦方向の凹部となる収容屈曲部を形成し、前記収容屈曲部の先端部は、前記進行方向に向けて略水平または水平で若干下向きに形成される。  
(7) 前記翼刃は、すき刃本体の先端部で、前記軸方向で両側に配置される。  
(8) 前記すき刃本体の収容屈曲部の底部分が、前記ロータリー刃の回転軌跡内に納まるように配置する。  
(9) 前記すき刃本体の先端部および翼刃は、耕耘状態で、前記ロータリー刃の回転軌跡の最下端よりも下方に位置する。
【００１１】
また、前記耕耘ユニットにおいて、以下のように構成する耕耘ユニットである。  
(1) すき刃本体は、ロータリ回転軸の軸方向を厚みとする板状に形成する。  
(2) 前記すき刃本体の先端部の前記軸方向の両面に、略水平方向の翼刃を取り付ける。  
(3) 前記翼刃は、前記すき刃本体の先端部で、最先端部より後ろ側に配置し、前記最先端部と前記翼刃とは略同一高さに配置する。
【００１２】
また、この発明は、走行機械に直接に、または前記走行機械に取り付ける各種耕耘装置を同時に取り付けて使用し、以下のように構成することを特徴とするき以下のように構成する耕耘用のすき刃である。  
(1) 前記すき刃は、刃本体と翼刃とからなる。  
(2) 前記すき刃本体の基端部に、走行機械、または走行機械に取り付ける各種ユニットに、すき刃本体の基端部を取り付けるための連結部を設ける。  
(3) 前記すき刃本体は中間部に、前記走行機械の進行方向に向けて、縦方向の凹部となる収容屈曲部を形成する。  
(4) 前記収容屈曲部の先端部は、前記進行方向に向けて略水平または水平で若干下向きに形成される。  
(5)前記すき刃本体の先端部で、両側面に、略水平に配置した翼刃の基端部を固定した。
【００１３】
前記において、耕耘ユニットは走行機械に取り付けて、所定位置に移動する際のアイドリング状態（通常、走行機械の車輪の接地高さより上方に耕耘ユニットを位置させる）と、実際に耕地を耕す耕耘状態と、をとることができる。
【発明の効果】
【００１４】
この発明は、ロータリー刃の下方に収容凹部を有するすき刃の先端部および翼刃を位置させ、かつ収容凹部の底部にロータリー刃の回転軌跡を位置させたので、すき刃の先端部および翼刃で深く掘り起こして塊を直ぐにロータリー刃で砕くことができるので、深く起こした土の塊を効率良く粉砕撹拌して、耕地の耕耘効率を大幅に改善した。また、すき刃の収容凹部に粘土質の土や草などが詰まった場合であっても、ロータリー刃でこれを容易に取り除くことができる。
【図面の簡単な説明】
【００１５】
【図１】この発明の第一の実施態様の耕耘ユニットで、（ａ）は平面図、（ｂ）は正面図、（ｃ）は底面図である。
【図２】この発明の第一の実施態様の耕耘ユニットに使用するすき刃で、（ａ）は背面図、（ｂ）は側面図、（ｃ）は平面図、（ｄ）は他の平面図である。
【図３】この発明の第一の実施態様の耕耘ユニットをロータリー耕耘装置を取り付けた状態で、（ａ）平面図、（ｂ）は正面図、（ｃ）は側面図である。
【図４】この発明の第二の実施態様の耕耘ユニットで、（ａ）は平面図、（ｂ）は正面図、（ｃ）は底面図である。
【図５】この発明の第二の実施態様の耕耘ユニットに使用するすき刃で、（ａ）は背面図、（ｂ）は側面図、（ｃ）は平面図、（ｃ）は他の平面図である。
【図６】この発明の第二の実施態様の耕耘ユニットをロータリー耕耘装置を取り付けた状態で、（ａ）正面図、（ｂ）は側面図である。
【図７】この発明の第一の実施態様のすき刃耕耘装置の斜視図を表す写真である。
【図８】この発明の第一の実施態様の耕耘ユニットをトラクターに取り付けた状態の一部斜視図を表す写真である。
【図９】この発明の第二の実施態様のすき刃耕耘装置の斜視図を表す写真である。
【発明を実施するための形態】
【００１６】
図面に基づいて、この発明の実施態様を説明する。
【００１７】
１．トラクター６０、ロータリー耕耘装置１
【００１８】
（１）  従来の構成は、トラクター６０にロータリー耕耘装置１を取り付けて、トラクター６０からの動力を利用して、ロータリー耕耘装置１のロータリー刃４付きのロータリー回転軸３を回転して、ロータリー刃４、４で、田圃や畑などの耕地の表面付近を耕すものであった。この発明は、トラクター６０からロータリー耕耘装置１を取り外して、すき刃耕耘装置１０にロータリー耕耘装置１を取り付けてこの発明の耕耘ユニット５０として、耕耘ユニット５０（ロータリー耕耘装置１を取り付けた状態で）を、トラクター６０に取り付けて使用するものである。  
したがって、トラクター６０とロータリー耕耘装置１とは従来の構成であり、任意に選択して使用することができる。  
なお、従来のロータリー耕耘装置１を取り付けるのではなく、ロータリー耕耘装置１と同じ機能を有する機械を初めからすき刃耕耘装置１０に組み込んで、耕耘ユニット５０とすることもできる（図示していない）。
【００１９】
（２）  この発明の実施に使用するロータリー耕耘装置１は、水平方向に配置されるロータリー回転軸３にロータリー刃４、４が放射状に取り付けられている。ロータリー刃４はロータリー回転軸３の軸方向のほぼ全長にわたり、所定間隔を開けて、取り付けられている（図３）。  
一般に、ロータリー耕耘装置１は、トラクター６０に取り付けた状態で、上方に位置して、ロータリー刃４、４が地面に付かないアイドリング状態と、下方に位置して、ロータリー刃４、４が地面５２に入る耕耘状態とを取ることができる。この発明の耕耘ユニット５０でも同様である。  
耕耘状態で、ロータリー刃４、４が鉛直下方に位置した状態で、ロータリー刃４、４の先端の位置を地面からＨ１とする（図３（ｃ））。
【００２０】
２．すき刃耕耘装置１０の第一の実施態様
【００２１】
（１）  使用するロータリー耕耘装置１のロータリー回転軸３と並列するほぼ同じ長さのパイプ１２からユニット本体を構成する。この実施態様では、パイプ１２の長さ（幅）Ｄ０とすると（図１（ｂ））、
Ｄ０＝１５０ｃｍ
程度としてあるが、使用するロータリー耕耘装置１の構造により、適宜選択して使用する。
【００２２】
パイプ１２の軸方向（すなわち、使用するロータリー耕耘装置１のロータリー回転軸の軸方向）で、両端に１枚ずつのすき刃１５Ａ、１５Ｄ、中間部に２枚のすき刃１５Ｂ、１５Ｃの合計４枚のすき刃を下方に向けて突設する（図１）。すき刃１５Ａ、１５Ｂ、１５Ｃ、１５Ｄはほぼ等間隔で配置してある。  
ここで、すき刃１５の材質は、厚さ１９ｍｍ程度の鋼板製を採用するが、耕耘に使用できれば任意である。
【００２３】
（２）  すき刃１５は、パイプ１２の軸方向が厚さ方向となる板状の材料で構成され、パイプ１２に固定される本体部１６と屈曲した中間部１７及び翼刃３０を有する先端部２３とからなる。  
すき刃１５の本体部１６は、耕耘状態で、パイプ１２から略鉛直下方に垂れた状態となり、パイプ１２にすき刃１５を固定し、かつ中間部１７および先端部２３を、ロータリー耕耘装置１のロータリー刃４、４と接触しないで所定の位置に配置する機能を有する。  
すき刃１５の中間部１７は、耕耘状態で、本体部１６の下方を、進行他側６２（トラクターの進行方向の反対側）で略水平方向に屈曲して、水平部１８を形成し、その水平部１８の他側をさらに下方に屈曲して、続いて、進行一側６１（トラクターの進行方向）に向けて徐々に斜めに屈曲して斜め部１９を形成する。すき刃１５の中間部１７の屈曲部で水平部１８の内縁（進行一側６１を向く縁）と、斜め部１９の内縁（進行一側６１を向く縁）とが成す角をθとした場合、θが鋭角状に形成され、この部分を収容凹部２０とする。また、収容凹部２０で、角θの中心側が底部２１を形成する（図２（ａ））。  
耕耘状態で、すき刃１５の中間部１７の斜め部１９の先をさらに屈曲して、進行一側６１に突出して、先端を尖らせて先端部２３を形成し、かつ先端部２３の下縁２５を略水平に形成する。  
また、すき刃１５の先端部２３で、両面に、略三角形の翼刃３０、３０を略水平方向に突設する。翼刃３０は、すき刃１５との固定端である基端３１で、すき刃１５の先端部２３の上縁２４の傾斜に沿って形成されている。また、翼刃３０は、基端３１から先端３２側に向けて、進行他側６２に向けて傾斜して形成され、進行一６１側の縁３３は全長に亘って、すき刃１５の先端部２３下縁２５と略面一の略水平に形成されている。  
したがって、翼刃３０の上面は斜めに形成され、基端３１側および先端３２側で、進行一側６１から進行他側６２に向けて登り勾配で形成される。
【００２４】
（３）  すき刃１５Ａ、・・・、１５Ｄは、４枚を取り付けた状態において、翼刃３０、３０で、隣接するすき刃１５で、翼刃３０のと先端３２、３２の間を幅Ｄ１とすると、幅Ｄ１は、すき刃１５の材質、厚さ、形状などにもよるが、通常は、
Ｄ１＝３〜５ｃｍ
程度で形成される（図１（ｂ））。幅Ｄ１は、耕耘ユニット５０の全幅（すなわちロータリー耕耘装置１の全副）を耕耘できるように、できるだけ小さく形成される。すなわち、Ｄ１は、すき刃１５のたわみを考慮して、耕耘中に、隣接する翼刃３０、３０同士が接触しない範囲で、できるだけ狭いことが望ましい。通常は、隣接するすき刃１５、１５が近づくようにたわみを生じた場合に、予想される荷重に対するすき刃１５の最大たわみ量が生じた場合であっても、隣接するすき刃１５、１５で、翼刃３０の先端３２、３２が接触しないように設定する。
【００２５】
（４）  パイプ１２の中間部１７に上方に向けて、トラクター６０と連結するための第一連結部４１を固定し、第一連結部４１の基端部に第二連結部４２を形成する。また、内側に位置する２枚のすき刃１５Ｃ、１５Ｄの本体部１６に、第三連結部４３、４３をそれぞれ形成する。
【００２６】
（５）以上のようにして、すき刃耕耘装置１０を構成する（図１、図２、図７）。
【００２７】
３．耕耘ユニット５０
【００２８】
（１）  第二連結部４２および第三連結部４３、４３を使用して、ロータリー耕耘装置１をすき刃耕耘装置１０に取り付け、耕耘ユニット５０を構成する（図３）。
【００２９】
（２）  ロータリー刃４、４の回転軌跡６の下端位置６ａとすき刃１５の下端位置（すなわち先端部２３の下縁２５および翼刃の位置縁３３）の差をＨ２とすると、
Ｈ２＝１５ｃｍ
程度で形成され、少なくとも翼刃３０、３０が、ロータリー刃の下端位置よりも十分下方に位置するように形成される。Ｈ２の値は、ロータリー耕耘装置１、すき刃耕耘装置１０の構成により適宜変更するが、Ｈ２＝５〜３０ｃｍ、程度が通常使用される。
【００３０】
（３）  また、ロータリー刃４、４の回転軌跡６の走行方向の先端位置６ｂより、すき刃１５の先端部２３および翼刃３０の基端３１（すき刃の側面に固定した端）は、走行方向の前側（進行一側６１側）に位置する（図３（ｃ））。
【００３１】
（４）  また、すき刃１５の収容凹部２０の底部２１は、底部位置でのロータリー刃４、４の回転軌跡６よりも、走行方向後ろ側（走行他側６２側）に位置する。すなわち、ロータリー回転軸３方向に見た場合、すき刃１５の収容凹部２０の底部２１はロータリー刃４、４の回転軌跡６と重なり、また、通常、ロータリー刃４、４の先端部は屈曲されており、屈曲部の回転軌跡がすき刃の収容凹部２０の底部２１より進行一側６１を通過できるように形成されている（図３（ｃ））。
【００３２】
４．耕耘ユニット５０の使用
【００３３】
（１）  耕耘ユニット５０を、第一連結部４１を使用して、トラクター６０に取り付ける。耕耘ユニット（ロータリー耕耘装置１およびすき刃耕耘装置１０）は、アイドリング状態で、トラクター６０の車輪の接地面（すなわち、地面５２）より十分上方に位置し、トラクターを耕地（農場）内外を自由に移動できる（図８）。  
また、耕耘状態で、耕耘ユニット５０は下方に移動して、ロータリー刃４、４の回転軌跡６の外周側とすき刃１５の先端部２３とがトラクターの車輪の接地面より十分に下方に位置し、地面５２内に入り耕耘できる（図３（ｃ））。
【００３４】
（２）  耕耘状態で、ロータリー耕耘装置１のロータリー刃４、４は、下端位置６ａで、その先端部が十分に地面５２内に突入できるように形成されている。  
耕耘状態で、耕耘ユニット５０を下方に位置させて、トラクター６０を走行すれば、すき刃１５が鋼板製で重いので自重で、すき刃１５の先端部２３と翼刃３０、３０が地中に突入して、すき刃１５の先端部２３と翼刃３０、３０とで地中を掘り起こして、大きな土の塊を形成する。翼刃３０、３０の上面が斜面で形成されるので、大きな土の塊は地面５２付近に持ち上げられ、連続してロータリー刃４、４で砕かれ、土は細かく砕かれながら撹拌される。
【００３５】
（３）  この際、すき刃１５の先端部２３および翼刃３０、３０は、地中に突入して、かつ、隣接す翼刃３０、３０は幅Ｄ１の部分を除いて、ロータリー刃４、４の下方でほぼ全長を覆い、かつ両端では、ロータリー刃４、４よりも翼刃３０が横方向に突出しているので、ロータリー刃４、４の幅方向全長を隙間無く掘り起こしできる。また、幅Ｄ１の部分は、できるだけ小さな値として、前記のような設定としてあるので、掘り起こしもれは無い。
【００３６】
（４）  また、粘土質を多く含む土を耕した場合や、すき刃１５が草を多く切断した場合には、粘土質の塊や草を含んだ塊が、すき刃１５の収容凹部２０に溜まることになる。この場合、従来では、粘土質の塊や草を含んだ塊がすき刃１５から移動できず、トラクター６０が推進不能に陥る場合もあった。しかし、この発明の耕耘ユニット５０では、すき刃１５の収容凹部２０に溜まった粘土質の塊や草を含んだ塊は、ロータリー刃４、４により砕かれ、地上５２付近に上げられ、トラクター６０が推進不能に陥ることはない。さらに、粘土質の塊などを、積極的に収容凹部２０に留めて、ロータリー刃４、４で砕くので、土の撹拌も増強される。また、ロータリー刃４、４は常に回転しているので、粘土質の塊や草を含んだ塊が、すき刃１５の収容凹部２０に溜まる前であっても、ある程度を砕いて撹拌させることができる。
【００３７】
５．他の耕耘ユニット５０の構成
【００３８】
（１）  前記実施態様において、すき刃１５の両面に同じ翼刃３０、３０を固定したが、基本構成は同じであるが異なる形状の翼刃３０Ａを固定して、平面視（正面視）で非対称なすき刃を使用することもできる（図２（ｄ））。
【００３９】
６．すき刃耕耘装置１０の第二の実施態様
【００４０】
（１）  前記実施態様において、すき刃耕耘装置１０で、すき刃にパイプ１２から略鉛直下方に垂れた本体部１６を構成したが、本体部１６を省略した構成である。使用するロータリー耕耘装置１の細部の構造がことなるタイプに適用するために、仕様を変えたものである。ロータリー耕耘装置１の基本構成は前記実施態様と同様である。
【００４１】
（２）  使用するロータリー耕耘装置１のロータリー回転軸３と並列するほぼ同じ長さのパイプ１２からユニット本体を構成する。この実施態様では、パイプ１２の長さ（幅）Ｄ０とすると（図４（ａ））、
Ｄ０＝１５０ｃｍ
程度としてあるが、使用するロータリー耕耘装置１の構造により、適宜選択して使用する。  
パイプ１２の軸方向（すなわち、使用するロータリー耕耘装置１のロータリー回転軸の軸方向）で、両端に１枚ずつのすき刃１５Ａ、１５Ｄ、中間部に２枚のすき刃１５Ｂ、１５Ｃの合計４枚のすき刃を下方に向けて突設する（図４）。すき刃１５Ａとすき刃１５Ｂの間隔は短く、すき刃１５Ｃとすき刃１５Ｄの間隔も短く、すき刃１５Ｂとすき刃１５Ｃの間隔は長く形成されている。  
ここで、すき刃１５の材質は同様である。
【００４２】
（２）  すき刃１５は、パイプ１２の軸方向が厚さ方向となる板状の材料で構成され、パイプ１２に固定する中間部１７と翼刃３０、３０とからなり、縦方向の本体部１６を省略してある。  
すき刃１５の中間部１７は、同様に、耕耘状態で、本体部１６の下方を、進行他側６２（トラクターの進行方向の反対側）で略水平方向に屈曲して、水平部１８を形成し、その水平部１８の他側をさらに下方に屈曲して、続いて、進行一側６１（トラクターの進行方向）に向けて一旦鉛直方向に屈曲して直ぐに徐々に斜めに屈曲して斜め部１９を形成する。すき刃１５の中間部１７の屈曲部で水平部１８の内縁（進行一側６１を向く縁）と、斜め部１９の内縁（進行一側６１を向く縁）とが成す角をθとした場合、θが鋭角状に形成され、この部分を収容凹部２０とする。また、収容凹部２０で、角θの中心側が底部２１を形成する（図５（ａ））。  
耕耘状態で、すき刃１５の中間部１７の斜め部１９の先をさらに屈曲して、進行一側６１に突出して、先端を尖らせて先端部２３を形成し、かつ先端部２３の下縁２５を略水平に形成する。  
また、すき刃１５の先端部２３で、両面に、略三角形の翼刃３０、３０を略水平方向に突設する。すき刃１５Ａ、１５Ｄでは、短い翼刃３０、３０を固定し、すき刃１５Ｂと１５Ｃでは、間隔が長い側に、長い翼刃３０Ａを固定する（図４）。翼刃３０、３０Ａの構造は、前記実施態様と同様である。
【００４３】
（３）  パイプ１２の上面側に連結具１３を固定する。連結具１３は、トラクター６０と連結するための第一連結部４１、ロータリー耕耘装置１を取り付ける第二連結部４２、第三連結部４３、４３をそれぞれ形成してある。
【００４４】
（４）  以上のようにして、すき刃耕耘装置１０を構成する（図４、図５、図９）。耕耘ユニット５０の構成および耕耘ユニット５０の使用は前記実施態様と同様である。
【符号の説明】
【００４５】
１    ロータリー耕耘装置
３    ロータリー回転軸
５    ロータリー刃
６    ロータリー刃の回転軌跡
６ａ  ロータリー刃の回転軌跡の下端
６ｂ  ロータリー刃の回転軌跡の進行一側端
１０  すき刃耕耘装置
１２  パイプ（本体）
１３  連結具
１５、１５Ａ、・・・、１５Ｄ  すき刃
１６    すき刃の本体部
１７    すき刃の中間部
２０    すき刃の収容凹部
２１    収容凹部の底
２３    すき刃の先端部
２４    すき刃の先端部の上縁
２５    すき刃の先端部の下縁
３０    翼刃
３１    翼刃の基端
３２    翼刃の先端
３３    翼刃の進行一側の縁
３３    翼刃の進行他側の縁
４１    第一連結部
４２    第二連結部
４３    第三連結部
５０    耕耘ユニット
５２    地面
６０    トラクター
６１    進行一側（トラクターの進行方向）
６２    進行他側（トラクターの進行方向と反対方向）
【図１】
2016086717.tif 000003
【図２】
2016086717.tif 000004
【図３】
2016086717.tif 000005
【図４】
2016086717.tif 000006
【図５】
2016086717.tif 000007
【図６】
2016086717.tif 000008
【図７】
2016086717.tif 000009
【図８】
2016086717.tif 000010
【図９】
2016086717.tif 000011